(57)【特許請求の範囲】
【請求項１】
頭部に被着するベースに頭髪を植毛したかつらであって、
前記ベースは、
多様な装着者の生え際位置を包含するように端部から所定範囲に形成された調整代部を有するベース部を備えており、
本かつらの購入後に、特定の装着者に適した生え際位置に相当するカッティングラインに沿って前記調整代部をカッティングすることにより、前記特定の装着者に適した生え際位置に相当する端部ラインを実現可能にしてあり、
前記調整代部に植毛された頭髪は、内部側から端部側にかけて植毛密度を粗くしていることを特徴とするかつら。
【請求項２】
前記調整代部が形成されている前記ベース部は、
頭髪の基部が結ばれる粗目ネットと、この粗目ネットの上面に重合する上側密目ネットとを有する積層構造を有し、
前記粗目ネットは、
帯状に形成された前記調整代部と、前記頭頂部を覆う頭頂被覆部とを一体的に備えていることを特徴とする請求項１記載のかつら。
【請求項３】
前記ベースは、
主に後頭部に対応する第１ベース部と、
主に頭頂部と前頭部と側頭部とに対応するとともに、前記調整代部が形成されている第２ベース部と、を備え、
前記第１ベース部と第２ベース部とによりキャップ状に形成して装着者の頭部に被着可能としたことを特徴とする請求項１又は２に記載のかつら。
【請求項４】
前記側頭部のもみあげ部は、
その裏面がシリコン又はポリウレタンのコーティングで覆われており、
前記ベースを装着者のもみあげ部分にフィットさせるためのワイヤ部材を収容するポケット部と、前記もみあげ部の裏面側から前記ワイヤ部を前記ポケット部に出し入れするために形成されたポケット開口部と、を備えていることを特徴とする請求項３記載のかつら。
【請求項５】
前記第１ベース部は、伸縮性のあるネット布で形成された伸縮部を有し、
前記伸縮部は、
前記伸縮部の下端から所定距離の位置を水平に所定長さに延びる水平帯状部と、装着者の後頭部の上部略中央に対応する部位から下方へ向けて間隔を漸次拡幅し、最大拡幅部から漸次縮幅して前記水平帯状部の左右両端にそれぞれ連続された左右一対の上下帯状部と、を縫着されており、
前記水平帯状部と前記左右一対の上下帯状部は、前記伸縮部よりも伸縮性の低い素材で形成されていることを特徴とする請求項３又は４に記載のかつら。
【請求項６】
前記調整代部は、前頭部、襟足部、及び、もみあげ部、の少なくとも１つの生え際ラインに形成されていることを特徴とする請求項１〜５のいずれか１項に記載のかつら。
【発明の詳細な説明】
【技術分野】
【０００１】
本発明は、かつらに関し、詳しくは、頭部に被着するネット状のベースに頭髪が植毛されたかつらに関する。
【背景技術】
【０００２】
従来、装着者の頭部に被冠されるネット状のベースに頭髪を植毛して成るかつらが提案されている（例えば、特許文献１を参照。）。
【０００３】
特許文献１に記載のかつらを含むこの種のかつらは、分け目から露出する部分が人頭の地肌に極めて似ており、外観上、極めて自然な仕上がりとなっているものが多く、通常、個々の装着者に合わせて製造するオーダーメイド製品となっている。
【先行技術文献】
【特許文献】
【０００４】
【特許文献１】特開平０９−２２８１２９号公報
【発明の開示】
【発明が解決しようとする課題】
【０００５】
しかし、上述したオーダーメイドのかつらは、極めて高価であり、しかも、納品されるまでの時間も長い。
【０００６】
ところが、かつらの利用は単にオシャレに止まらず、医学的治療の副作用で頭髪が抜け落ちたりした者が購入する場合も多く、このような用途の所謂医療用かつらの場合は、即座に入用となる場合もある。また、医療用とはいえ、外見的にいかにもかつらを着用していることが分かるような粗雑な作りのものを着用するのには抵抗がある。
【０００７】
そこで、市場からは、比較的に低価格で即納可能でありながらもオーダーメイドの製品に近い品質を有する全頭用のかつらが望まれてきている。
【０００８】
本発明は、かかる課題を解決することのできるかつらを提供することを目的としている。
【課題を解決するための手段】
【０００９】
（１）本発明では、頭部に被着するベースに頭髪を植毛したかつらであって、前記ベースは、多様な装着者の生え際位置を包含するように端部から所定範囲に形成された調整代部を有するベース部を備えており、特定の装着者に適した生え際位置に相当するカッティングラインに沿って前記調整代部をカッティングすることにより、前記特定の装着者に適した生え際位置に相当する端部ラインを実現可能であり、前記調整代部に植毛された頭髪は、内部側から端部側にかけて植毛密度を粗くしていることとした。
【００１０】
（２）本発明は、上記（１）のかつらにおいて、前記調整代部が形成されている前記ベース部は、頭髪の基部が結ばれる粗目ネットと、この粗目ネットの上面に重合する上側密目ネットとを有する積層構造を有し、前記粗目ネットは、帯状に形成された前記調整代部と、前記頭頂部を覆う頭頂被覆部とを一体的に備えていることを特徴とする。
【００１１】
（３）本発明は、上記（１）又は（２）のかつらにおいて、前記ベースは、主に後頭部に対応する第１ベース部と、主に頭頂部と前頭部と側頭部とに対応するとともに、前記調整代部が形成されている第２ベース部と、を備え、前記第１ベース部と第２ベース部とによりキャップ状に形成して装着者の頭部に被着可能としたことを特徴とする。
【００１２】
（４）本発明は、上記（３）のかつらにおいて、前記側頭部のもみあげ部は、その裏面がシリコン又はポリウレタンのコーティングで覆われており、前記ベースを装着者のもみあげ部分にフィットさせるためのワイヤ部材を収容するポケット部と、前記もみあげ部の裏面側から前記ワイヤ部を前記ポケット部に出し入れするために形成されたポケット開口部と、を備えていることを特徴とする。
【００１４】
（５）本発明は、上記（３）又は（４）のかつらにおいて、前記第１ベース部は、伸縮性のあるネット布で形成された伸縮部を有し、前記伸縮部は、前記伸縮部の下端から所定距離の位置を水平に所定長さに延びる水平帯状部と、装着者の後頭部の上部略中央に対応する部位から下方へ向けて間隔を漸次拡幅し、最大拡幅部から漸次縮幅して前記水平帯状部の左右両端にそれぞれ連続された左右一対の上下帯状部と、を縫着されており、前記水平帯状部と前記左右一対の上下帯状部は、前記伸縮部よりも伸縮性の低い素材で形成されていることを特徴とする。
【００１５】
（６）本発明は、上記（１）〜（５）のいずれかのかつらにおいて、前記調整代部は、前頭部、襟足部、及び、もみあげ部、の少なくとも１つの生え際ラインに形成されていることを特徴とする。
【発明の効果】
【００１６】
本発明によれば、低価格でかつ即納可能であり、所謂レディメイドでありながらも、オーダーメイドに匹敵するようなフィット感と、自然な頭皮、頭髪と殆ど変らない質感を有する全頭用のかつらを提供することが可能となる。
【図面の簡単な説明】
【００１７】
【図１】本実施形態に係るかつらの着用状態を示す正面側からの斜視図である。
【図２】同かつらの背面側からの斜視図である。
【図３】同かつらのベースを示す正面図である。
【図４】同ベースの背面図である。
【図５】同側面図である。
【図６】同平面図である。
【図７】同正面側からの斜視図である。
【図８】同背面側からの斜視図である。
【図９】同下方からの斜視図である。
【図１０】第２ベース部の説明図である。
【図１１】第１ベース部の変形例の説明図である。
【発明を実施するための形態】
【００１８】
以下、本発明のかつらの一実施形態を、図面を参照しながら説明する。図１及び図２に示すように、本実施形態に係るかつらは、男性用の全頭用として供されるものであり、例えば、医療用かつらとして好適に用いることができる。
【００１９】
本実施形態に係るかつらは、後述する複数のベース部（第１ベース部１１及び第２ベース部１２）によりキャップ状（帽子状）に形成されて装着者Ｈの頭部に被着可能としたベース１と、このベース１に多数の頭髪（毛髪）が植毛された頭髪部２とを有する。
【００２０】
頭髪部２を構成する多数の毛髪は、従来から用いられているように、人工毛あるいは実際の人の頭髪を利用しており、いずれにしても極めて自然な風合いを有する。
【００２１】
本実施形態に係るかつらの特徴はベース１の構造にある。図３〜図８に示すように、ベース１は、主に後頭部に対応する第１ベース部１１と、主に頭頂部と前頭部と側頭部とに対応する第２ベース部１２とからなり、互いに接合されて曲面が形成され、頭部にフィットできるようになっている。
【００２２】
また、本実施形態にかかるかつらは、ベース１の大きさを、例えば、ＬＬ、Ｌ、Ｍ、Ｓなどのように大まかなサイズ毎に分けただけで量産可能にしている。すなわち、従来のように、個々の装着者Ｈに合わせたオーダーメイドではなく、既製品として提供しながらも、個々の装着者Ｈにきわめてフィット可能であり、なおかつ装着感が良好なかつらを実現している。したがって、低価格で、なおかつ即納可能である。
【００２３】
ところで、ベース１の接合形態としては特に限定されず、縫合あるいは接着剤によるコーティングやテープなどによる接合などで構わないが、本実施形態では、ベース１の内側面において、第１、第２ベース部１１，１２同士の接合部を、布地で形成した帯体１４により被覆している。
【００２４】
帯体１４は、肌触りを向上させるためのものであり、かつらを装着した場合の頭部の地肌に柔らかく当接して、接合部のゴワゴワ感が直接地肌に伝わらないようにしている。
【００２５】
なお、第２ベース部１２において、装着者Ｈの側頭部に主に対応する側頭対応部１３については、詳しくは後述するが、本実施形態では、他の頭頂部と前頭部とに対応する部分とは異なる素材で形成している。よって、第１、第２ベース部１１，１２同士の接合部のみならず、第２ベース部１２における側頭対応部１３と他の部分の接合部についても帯体１４により被覆している。
【００２６】
第１ベース部１１は、その大部分が比較的に目の粗い黒色の第１のネット布で形成されている。そして、図４及び図８に示すように、後頭部の中央に対応する部分となる略イチジク状の中央部材１１ａと、この中央部材１１ａを左右から挟むように設けられた左側部材１１ｂ及び右側部材１１ｃとから構成されている。
【００２７】
第１のネット布は伸縮性を有する素材であるが、上述したように、中央部材１１ａと左側部材１１ｂ及び右側部材１１ｃとを接合したのは、素材の縦方向、横方向への伸びを規制して、ベース１が装着者Ｈの頭部上方にずれていくことを防止するためである。そして、本実施形態では、中央部材１１ａは、その下側部を窄めた形状としてタックのような効果を生起させることにより、ベース１として後頭部下部の窪み部分にフィットするようにしている。
【００２８】
また、図２〜図５、及び図８に示すように、第１ベース部１１の下端部には、第１のネット布よりも粗い目を有する黒色の第２ネット布からなる襟足部１１０を連接している。そして、第１のネット布と第２のネット布との接合部には、かつら装着時に、必要に応じて両面テープを貼着可能とするためのポリウレタンコーティングと、滑り止め効果を狙ったシリコンコーティングとが施されたコーティング部１１１を内側に設けている。
【００２９】
なお、第１ベース部１１において、左側部材１１ｂ及び右側部材１１ｃにおける装着者Ｈの左右の耳介に臨む部分には、ゴム紐を渡したアジャスタ部（図示せず）が形成されている。そして、このアジャスタ部のゴム紐によって、サイズが異なる個々の装着者Ｈの頭にフィットできるようにしている。なお、左側部材１１ｂ及び右側部材１１ｃにおけるゴム紐の配設位置は、第２ベース部１２の側頭対応部１３側に位置させることが好ましい。かかる位置に配設すると、コーティング部１１１側にしわやたるみが生じ難くなるからである。
【００３０】
第２ベース部１２は、つむじや分け目が形成される頭頂部と前頭部と側頭部とに主に対応しており、第１ベース部１１と接合されて、ベース１の基本形状を形成している。また、第２ベース部１２は、側頭対応部１３を除いて、図１０に示すように、各頭髪の基部が結ばれて植毛される粗目ネット１２ａと、この粗目ネット１２ａの上面に重合する上側密目ネット１２ｂと、粗目ネット１２ａの下面に重合する下側密目ネット１２ｃとからなる三層構造を有している。
【００３１】
上側密目ネット１２ｂと下側密目ネット１２ｃとは、頭部地肌に似た肌色の素材であり、図１０に示すように、装着者Ｈの頭頂部を覆うように形成された粗目ネット１２ａの頭頂被覆部１２０と略同一形状に形成されている。そして、この上側、下側密目ネット１２ｂ，１２ｃにより、粗目ネット１２ａの頭頂被覆部１２０を上下からサンドイッチ状に挟み込むように配設している。
【００３２】
粗目ネット１２ａの頭頂被覆部１２０に基部を結び付けられた頭髪は、上側密目ネット１２ｂの目から引き抜かれる。したがって、いかにも地肌から頭髪が伸びているかのような自然な外観を呈することとなる。また、粗目ネット１２ａ上の頭髪の結び目を含む基部部分は、下側密目ネット１２ｃにより覆われることになるため、凸部となる基部部分が装着者Ｈの頭部地肌に直接触れることがなく、かつらの装着感がより向上する。
【００３３】
また、図１０に示すように、第２ベース部１２の粗目ネット１２ａは、前頭部の生え際に対応する位置を、装着者Ｈ毎に個別対応可能な調整代部１２１が形成されている。すなわち、粗目ネット１２ａは、頭頂被覆部１２０と、頭部の生え際となる前頭部に対応する調整代部１２１とから略Ｔ字状に一体形成されている。したがって、図示するように、略釣鐘形状の上、下側密目ネット１２ｂ，１２ｃに対し、粗目ネット１２ａは調整代部１２１が左右に伸延した形状となっている。このように、粗目ネット１２ａは額周りからモミアゲ部分にかけての生え際に相当する調整代部１２１を一体形成しているため、頭頂被覆部１２０などとの継ぎ目が無く、自然な外観を呈し、かつ、装着感を損なう虞がない。
【００３４】
ここで、調整代部１２１について説明する。調整代部１２１は、前述したように、かつらの生え際位置を装着者Ｈ毎に個別対応可能とするために設けられており、図１及び図７に示すように、装着者Ｈに合わせた形状に切除可能となっている。また、本実施形態では、側頭対応部１３，１３についても、たとえばモミアゲの位置などを装着者Ｈに合わせて切除して形状を整えられるようにしており、やはり調整代部に相当する部分が含まれる構成としている。図中、符号ＣＬはカッティングラインを示している。
【００３５】
本実施形態にかかるかつらは、ベース１に植毛された頭髪は、予め、１５〜２０ｃｍ程度の長さに形成されている。そして、このかつらを購入した場合、例えば美容院などにおいて、装着者Ｈに適応した形となるように調整代部１２１にハサミを入れて整えるのである。
【００３６】
また、かかる調整代部１２１においては、内部側から端部側にかけて植毛密度を粗くしており、より自然な生え際が再現されるようにしている。
【００３７】
また、図９に示すように、第２ベース部１２の頭頂被覆部１２０の前側端部と調整代部１２１との境界部分には、シリコンコーティングが施された第２のコーティング部１２２が設けられ、かつらが位置ずれすることを防止している。
【００３８】
ところで、粗目ネット１２ａは肌色であるが、素材としては第１ベース部１１の襟足部１１０に用いられる第２ネット布と同じものを使用している。そして、第１ベース部１１の襟足部１１０についても、調整代部１２１と同じような機能を有し、個々の装着者Ｈに応じてハサミを入れて適宜整形することができる。
【００３９】
ここで、第２のベース部１２において、主に側頭部に対応する側頭対応部１３，１３について説明する。側頭対応部１３，１３は、第２ベース部１２の三層構造を有する部分である上側、下側密目ネット１２ｂ，１２ｃよりは目が粗く、第１ベース部１１の黒色のネット布よりは目が細かい肌色のネット布で形成されている。そして、図６〜図８に示すように、第１ベース部１１と、装着者Ｈの前頭部に対応するように左右に伸延させた粗目ネット１２ａとの間に側頭対応部１３，１３を配置して、それぞれの下側部をモミアゲ部分に対応させている。
【００４０】
そして、このモミアゲ部分の裏側には、コーティングを施した第３のコーティング部１３１を設けている（図７及び図９を参照）。なお、第３のコーティング部１３１のコーティング材としては、シリコン又はポリウレタンを好適に用いることができる。
【００４１】
さらに、この第３のコーティング部１３１が設けられた、モミアゲ部分の内側には、図９に示すように、かつらの頭部へのフィット感を向上させるためのワイヤ部材３を着脱自在に配設している。
【００４２】
ワイヤ部材３は、第３のコーティング部１３１で被覆されたワイヤ収納部であるポケット部３０に収容されており、ポケット開口部３１から出し入れ自在となっている。
【００４３】
かかるワイヤ部材３は、その弾性、長さなどが異なる複数の種類の中から個々のかつら装着者Ｈに応じて選択することが可能である。なお、ワイヤ部材３を、形状記憶合金で形成し、装着者Ｈ個々の頭部（顔部）の形状によりフィットさせるようにすることもできる。
【００４４】
また、本実施形態に係るかつらは、医療用かつらとして好適に用いることができるため、ワイヤ部材３を着脱自在としたことで、例えば、ＭＲＩ検査やＣＴ検査など、金属製のものは身につけられない検査を受ける際にも、ワイヤ部材３だけをかつらから取り外せば、かつらそのものについては着用したまま検査を受けることも可能となる。
【００４５】
ここで、本実施形態に係るかつらのベース１を構成する材料の網目の粗さについてまとめると、目の細かい順に、第２ベース部１２の上側、下側密目ネット１２ｂ，１２ｃ→側頭対応部１３，１３の肌色のネット布→第１ベース部１１の黒色のネット布→第２ベース部１２の粗目ネット１２ａとなる。すなわち、第２ベース部１２の上側、下側密目ネット１２ｂ，１２ｃが最も目が細かく、粗目ネット１２ａが最も目が粗い。
【００４６】
上述してきた実施形態では、第１ベース部１１を、装着者Ｈの後頭部中央に位置する中央部材１１ａと、この中央部材１１ａを左右から挟むように設けられた左側部材１１ｂ及び右側部材１１ｃとから構成して、中央部材１１ａを、窄めた上端部から中途まで漸次拡幅し、最大拡幅部から再度漸次縮幅して下端部を窄めた平面視略イチジク形状に形成したものとして説明した。
【００４７】
しかし、図１１に示すように、第１ベース部１１を、装着者Ｈの後頭部中央に位置する部分に略Ｕ字形状切欠部を形成した側部材１１ｄと、前記切欠部を被覆する中央部材１１ａとから構成することができる。
【００４８】
すなわち、図示するように、この場合の中央部材１１ａ及び切欠部は、窄めた上端部から下方へ向けて漸次拡幅し、最大拡幅部から漸次縮幅して下端部が所定幅の直線部ＳＬをなす平面視略船形状に形成されることになる。こうして、直線部ＳＬとコーティング部１１１との間にはたるみ代１１ｄが形成される。なお、たるみ代の幅、すなわち、直線部ＳＬとコーティング部１１１との間隔は５〜３０ｍｍ程度が良いことが実験的に分かっている。本実施形態では、間隔を１０ｍｍとしている。
【００４９】
このように、中央部材１１ａの下端部に直線部ＳＬを形成し、中央部材１１ａと側部材１１ｄとの接合部分を略Ｕ字形状とすることにより、直線部ＳＬとコーティング部１１１との間にたるみ代１１ｄが形成され、ベース１の形状と装着者Ｈの実際の頭部形状との間で若干のギャップが生じ、ベース１（第１ベース部１１）にたるみが生じても、そのたるみをたるみ代１１ｄ可及的に吸収可能となるため、たるみがいびつな形で表れにくくなる。そのため、かつらとしての外観的な不自然さがなく、美観を損なうことがなくなる。
【００５０】
以上、説明してきた実施形態より、以下のかつらが実現される。
【００５１】
（１）頭部に被着するベース１に頭髪を植毛したかつらであって、ベース１は、少なくとも、装着者Ｈの生え際に対応するベース１上生え際位置を装着者Ｈ毎に個別対応可能な調整代部１２１が形成されているベース部（例えば、第１ベース部１１や第２ベース部１２）を備えているかつら。
【００５２】
かかる構成のかつらは、低価格でかつ即納可能であり、所謂既製品（レディメイド）でありながらも、個々の装着者Ｈにフィット可能となる。しかも、品質は、自然な頭皮、頭髪と殆ど変らず、オーダーメイドのかつらと何ら遜色のない質感を有する良質なものとすることができる。
【００５３】
（２）前記調整代部１２１が形成されている前記ベース部（例えば、第２ベース部１２）は、頭髪の基部が結ばれる粗目ネット１２ａと、この粗目ネット１２ａの上面に重合する上側密目ネット１２ｂとを有する積層構造を有し、前記粗目ネット１２ａは、帯状に形成された調整代部１２１と、前記頭頂部を覆う頭頂被覆部１２０とを一体的に備えているかつら。
【００５４】
かかるかつらとすれば、頭頂部を覆う部分が、あたかも地肌から頭髪が伸びているような、ごく自然な外観を呈しているため、例えばバスや電車などにおいて着席している場合に他人から頭頂部を見下ろされたとしても、外観的にかつらの着用が露呈することがない。
【００５５】
なお、前記第２ベース部１２としては、粗目ネット１２ａの下面に重合する下側密目ネット１２ｃをさらに備える三層構造を有し、上側密目ネット１２ｂ及び下側密目ネット１２ｃは、粗目ネット１２ａの頭頂被覆部１２０と略同一形状であって、当該頭頂被覆部１２０を上下からサンドイッチ状に挟み込んだ構成とすることもできる。
【００５６】
この場合、粗目ネット１２ａ上の頭髪の結び目を含む基部が、下側密目ネット１２ｃによって被覆されて装着者Ｈの頭部地肌に直接触れることがないため、かつらの装着感が向上する。
【００５７】
（３）前記ベース１は、主に後頭部に対応する第１ベース部１１と、主に頭頂部と前頭部と側頭部とに対応するとともに、前記調整代部が形成されている第２ベース部１２とを備え、第１ベース部１１と第２ベース部１２とによりキャップ状に形成して装着者の頭部に被着可能としたかつら。
【００５８】
かかる構成により、低価格で即納可能でありながらもオーダーメイドの製品に近い品質を有する全頭用のかつらとすることができる。したがって、例えば、医療用に最適な全頭用かつらの提供が可能となる。
【００５９】
（４）前記第２ベース部１２は、前記ベース１を装着者Ｈの頭部にフィットさせるためのワイヤ部材３を着脱自在に収納するワイヤ収納部（例えば、ポケット部３０）を備えているかつら。
【００６０】
かかる構成とすることにより、かつらの頭部へのフィット感を向上させることができ、装着者Ｈに応じてワイヤ部材３の種類を取り換えるなどすれば、個々の装着者Ｈに最適なフィット感が得られる。また、ワイヤ部材３だけをかつらから取り外せば、金属製のものは身につけられないＭＲＩ検査やＣＴ検査なども、かつらを着用したままで受けることが可能となる。
【００６１】
（５）前記第１ベース部１１は、装着者Ｈの後頭部中央に位置する中央部材１１ａと、この中央部材１１ａを左右から挟むように設けられた左側部材１１ｂ及び右側部材１１ｃとから構成されており、中央部材１１ａは、窄めた上端部から中途まで漸次拡幅し、最大拡幅部から再度漸次縮幅して下端部を窄めた平面視略イチジク形状に形成されているかつら。
【００６２】
かかる構成により、装着者Ｈの後頭部の窪みに対してもフィットさせることができ、皺などが生じず、外観的な不自然さをなくすことができる。
【００６３】
（６）前記第１ベース部１１は、装着者Ｈの後頭部中央に位置する部分に切欠部を形成した側部材１１ｄと、前記切欠部を被覆する中央部材１１ａとから構成されており、前記中央部材１１ａ及び切欠部は、窄めた上端部から下方へ向けて漸次拡幅し、最大拡幅部から漸次縮幅して下端部が所定幅の直線部ＳＬをなす平面視略船形状に形成されているかつら。
【００６４】
かかる構成とすることにより、ベース１の形状と装着者Ｈの実際の頭部形状との間で若干のギャップが生じ、ベース１（第１ベース部１１）にたるみが生じても、そのたるみをたるみ代１１ｄ可及的に吸収可能となるため、たるみがいびつな形で表れにくくなり、かつらとしての外観的な不自然さをなくすことができる。
【００６５】
（７）前記ベース１の内側面において、各ベース部（例えば、第１ベース部１１、第２ベース部）同士の接合部を帯体１４により被覆しているかつら。
【００６６】
かかる構成とすることにより、頭部における肌触りを向上させることができる。
【００６７】
以上、本発明を上述した実施形態を通して説明したが、本発明の趣旨を逸脱することのない限り、具体的な構成は適宜変更しても構わない。また、上述の実施形態では、かつらを全頭用の医療用かつらとして説明したが、お洒落用かつらとして、また、部分かつらとして使用できることは言うまでもない。また、実施形態では男性用としたが、女性用に適用できることも当然である。
【符号の説明】
【００６８】
Ｈ  装着者
１  ベース
２  頭髪部
３  ワイヤ部材
１１  第１ベース部
１２  第２ベース部
１２ａ  粗目ネット
１２ｂ  上側密目ネット
１２ｃ  下側密目ネット
１３  側頭対応部
１４  帯体
３０  ポケット部（ワイヤ収納部）
１２０  頭頂被覆部
１２１  調整代部
【図１】
0005426414.tif 000002
【図２】
0005426414.tif 000003
【図３】
0005426414.tif 000004
【図４】
0005426414.tif 000005
【図５】
0005426414.tif 000006
【図６】
0005426414.tif 000007
【図７】
0005426414.tif 000008
【図８】
0005426414.tif 000009
【図９】
0005426414.tif 000010
【図１０】
0005426414.tif 000011
【図１１】
0005426414.tif 000012